(57)【要約】【課題】商用電源を遮断することによって消費電力を抑制する消費電力抑制機能を、凍結防止運転機能を阻害することなく有効に機能させ得る給湯装置を提供する。【解決手段】給湯装置本体１に対する商用電源ＰＷの供給を許可または阻止する漏電ブレーカ５と、給湯装置本体１に商用電源ＰＷが供給されているとき、その商用電源ＰＷに基づいて充電が行われる充電用コンデンサＣ１と、充電用コンデンサＣ１と接地点との間に設けられ、装置の周囲温度が予め設定された所定の温度以下に低下すると、閉成動作をして充電用コンデンサＣ１の充電電荷を接地点に放電するための放電経路を形成するＦ点スイッチ６とを備え、給湯装置本体１が予め設定された所定の動作条件になると、漏電ブレーカ５を開成動作させて商用電源ＰＷを阻止し、商用電源ＰＷの阻止状態でＦ点スイッチ６により充電用コンデンサＣ１の充電電荷が放電されると、その放電信号に基づいて漏電ブレーカ５を閉成動作させて商用電源ＰＷを供給する。【選択図】  図３
2004190905.tif 000002
【特許請求の範囲】
【請求項１】
給湯装置本体と、この給湯装置本体から電源が供給され、当該給湯装置本体を遠隔操作する遠隔操作装置とからなる給湯装置であって、
前記給湯装置本体に対する元電源の供給を許可または阻止する電源スイッチ手段と、
前記給湯装置本体に元電源が供給されているとき、その元電源に基づいて充電が行われる充電手段と、
前記充電手段と接地点との間に設けられ、装置の周囲温度が予め設定された所定の温度以下に低下すると、閉成動作をして当該充電手段の充電電荷を接地点に放電するための放電経路を形成する放電スイッチ手段と、
前記給湯装置本体が予め設定された所定の動作条件になると、前記電源スイッチ手段を開成動作させて前記元電源を阻止し、元電源の阻止状態で前記放電スイッチ手段により前記充電手段の充電電荷が放電されると、その放電信号に基づいて前記電源スイッチ手段を閉成動作させて前記元電源を供給する電源供給制御手段と、
を備えたことを特徴とする給湯装置。
【請求項２】
前記放電スイッチ手段は、前記遠隔操作装置内に設けられている、請求項１に記載の給湯装置。
【請求項３】
前記放電スイッチ手段は、前記給湯装置本体内に設けられている、請求項１に記載の給湯装置。
【請求項４】
前記給湯装置本体の凍結を予防するための凍結予防運転を行う凍結予防運転実行手段と、
装置の周囲温度を検出する温度検出手段と、
前記放電スイッチ手段による前記充電手段の充電電荷の放電により前記給湯装置本体に前記元電源が供給されたとき、前記温度検出手段によって検出された周囲温度に基づいて上記凍結予防運転実行手段による凍結予防運転の実行の要否を判別する判別手段とをさらに備える、請求項１ないし３のいずれかに記載の給湯装置。
【請求項５】
前記給湯装置本体における配管内の水抜き運転を指示する水抜き運転指示手段と、
前記水抜き運転指示手段により水抜き運転が指示されると、前記給湯装置本体における配管内の水抜き運転を行う運転制御手段とをさらに備え、
前記電源供給制御手段は、さらに前記元電源の供給状態で前記運転制御手段により水抜き運転が行われると、前記電源スイッチ手段を閉成動作させて前記元電源を阻止する、請求項１ないし４のいずれかに記載の給湯装置。
【発明の詳細な説明】
【０００１】
【発明の属する技術分野】
本願発明は、給湯装置本体とリモコン装置とを備える給湯装置に関する。
【０００２】
【従来の技術】
従来、給湯装置としては、一般に給湯装置本体と、それに２芯ケーブル等によって接続されたリモコン装置とを備えて構成されている（たとえば、特許文献１参照。）。
【０００３】
【特許文献１】
特開平２−１４０５０９号公報
【０００４】
給湯装置本体は、給湯を行うためのものであり、給湯用、風呂追い焚き用および温水暖房用等の熱交換器を備える燃焼ユニットと、この燃焼ユニットを制御するマイクロコンピュータ（以下、単に「マイコン」という。）を備える制御部とが設けられている。一方、リモコン装置は、給湯装置本体の給湯運転を遠隔操作するためのものであり、操作スイッチや液晶表示器等を有する操作表示部が備えられている。そして、リモコン装置は、給湯装置本体から２芯ケーブル等の接続線を介して電源が供給され、給湯装置本体ととともに駆動されるようになっている。
【０００５】
【発明が解決しようとする課題】
ところで、給湯装置が給湯動作を全くしておらず、リモコン装置からも全く操作情報が入力されない状態（いわゆる運転待機状態）が継続する場合は、その状態であっても給湯装置本体およびリモコン装置に搭載されたマイコンや電気回路等によって、ある程度の電力が消費されているため、節電の観点からは、その消費電力を可能な限り抑制することが好ましい。たとえば運転待機状態においては給湯装置本体に供給される商用電源をスイッチにより遮断して消費電力を抑制するモード（以下、消費電力抑制モードという。）に入り、ユーザによりリモコン装置の運転スイッチが操作されると、給湯装置本体への商用電源の供給を再開して通常の運転動作を行うモード（以下、運転モードという。）に復帰させるようにするとよい。
【０００６】
しかしながら、消費電力抑制モードにおいて、給湯装置本体への商用電源の供給を遮断してしまうと、その間に給湯装置本体を運転しなければならない状態が生じても給湯装置本体には電源が供給されていないため、運転することができないという別の問題が生じる。たとえば寒冷地で使用される給湯装置には冬季に配管内の水が凍結しないように、装置の周囲温度が所定の温度に低下すると、配管内の水を流動させる、あるいは配管に取り付けた凍結防止ヒータとしての電気ヒータに通電する等の凍結防止運転を行うように構成されたものがある。
【０００７】
また、配管内に水が残った状態で給湯装置が長期間使用されない場合、配管内の水が凍結して損傷することがあるので、それを防止するため、水抜き運転機能を備えたものがある。この機能を備えた給湯装置では、長期間不使用の状態にする場合、ユーザは水抜き運転を指示する旨の操作を行って水抜き運転（配管に設けられた水抜き栓を開放し、給水ポンプを所定の時間駆動する運転）を所定の時間行わせた後、運転スイッチを操作して商用電源をオフにするという操作を行う、あるいは水抜き運転を行った後、水抜き完了のタイミングを見計らって電源コンセントから電源プラグを手作業で抜くことになるが、給湯装置が消費電力抑制モードも備えている場合、商用電源のオン・オフを自動的に制御する機能を備えているため、水抜き運転後の商用電源のオフ動作も自動化することが操作性の観点から好ましい。
【０００８】
【発明の開示】
本願発明は、上記した事情のもとで考え出されたものであって、商用電源を遮断することによって消費電力を抑制する消費電力抑制機能を、凍結防止運転機能や水抜き運転機能を阻害することなく有効に機能させ得る給湯装置を提供することを、その課題とする。
【０００９】
上記の課題を解決するため、本願発明では、次の技術的手段を講じている。
【００１０】
本願発明に係る給湯装置は、給湯装置本体と、この給湯装置本体から電源が供給され、当該給湯装置本体を遠隔操作する遠隔操作装置とからなる給湯装置であって、前記給湯装置本体に対する元電源の供給を許可または阻止する電源スイッチ手段と、前記給湯装置本体に元電源が供給されているとき、その元電源に基づいて充電が行われる充電手段と、前記充電手段と接地点との間に設けられ、装置の周囲温度が予め設定された所定の温度以下に低下すると、閉成動作をして当該充電手段の充電電荷を接地点に放電するための放電経路を形成する放電スイッチ手段と、前記給湯装置本体が予め設定された所定の動作条件になると、前記電源スイッチ手段を開成動作させて前記元電源を阻止し、元電源の阻止状態で前記放電スイッチ手段により前記充電手段の充電電荷が放電されると、その放電信号に基づいて前記電源スイッチ手段を閉成動作させて前記元電源を供給する電源供給制御手段と、を備えたことを特徴としている。なお、ここで、元電源としては、商用電源や自家発電による電源等が適用される。また、上記装置とは、給湯装置本体および／または遠隔操作装置をいう。
【００１１】
この発明によれば、給湯装置本体が予め設定された所定の動作条件になると（たとえば消費電力を抑制するための消費電力抑制モードになると）、電源スイッチ手段をオフにして元電源を阻止する。また、元電源の阻止状態でユーザによる操作によって前記充電手段の充電電荷が放電され、その放電信号に基づいて電源スイッチ手段をオンにして元電源を供給し、通常の運転モードに復帰する。
【００１２】
また、元電源の阻止状態で、装置の周囲温度が予め設定された所定の温度以下に低下すると、放電スイッチ手段により充電手段の充電電荷が放電され、これにより、電源供給制御手段により給湯装置本体に元電源が供給される。すなわち、周囲温度が低下すると、給湯装置本体は、消費電力抑制モードから通常の運転モードに自動的に復帰する。この結果、給湯装置本体に周囲温度が所定の温度以下に低下した場合に機能する凍結予防運転機能を設けた場合にも、凍結予防運転機能が元電源の遮断により機能しなくなるということがない。
【００１３】
なお、放電スイッチ手段は、遠隔操作装置内に設けられていてもよく、あるいは、給湯装置本体内に設けられていてもよい。放電スイッチ手段が給湯装置本体内に設けられておれば、給湯装置本体は通常屋外に設置されるので、屋外の状況（温度等）をより適格に把握することができる。
【００１４】
好ましい実施の形態によれば、前記給湯装置本体の凍結を予防するための凍結予防運転を行う凍結予防運転実行手段と、装置の周囲温度を検出する温度検出手段と、前記放電スイッチ手段による前記充電手段の充電電荷の放電により前記給湯装置本体に前記元電源が供給されたとき、前記温度検出手段によって検出された周囲温度に基づいて上記凍結予防運転実行手段による凍結予防運転の実行の要否を判別する判別手段とをさらに備える。
【００１５】
この構成によれば、放電スイッチ手段により充電手段の充電電荷が放電されることにより元電源が供給されたとき、温度検出手段によって検出された周囲温度に基づいて凍結予防運転の実行の要否が判別され、凍結予防運転が必要であれば、凍結予防運転が実行される。したがって、周囲の温度に応じて凍結予防運転を実行させることができる。
【００１６】
他の好ましい実施の形態によれば、前記給湯装置本体における配管内の水抜き運転を指示する水抜き運転指示手段と、前記水抜き運転指示手段により水抜き運転が指示されると、前記給湯装置本体における配管内の水抜き運転を行う運転制御手段とをさらに備え、前記電源供給制御手段は、さらに前記元電源の供給状態で前記運転制御手段により水抜き運転が行われると、前記電源スイッチ手段を閉成動作させて前記元電源を阻止する。
【００１７】
この構成によれば、ユーザによる水抜き運転指示手段の操作によって水抜き運転が行われると、電源スイッチ手段をオフにして元電源が阻止される。すなわち、たとえば、ユーザが水抜き運転を行うように操作すれば、その後自動的に消費電力抑制モードに移行し、自動的に元電源がオフになる。そのため、ユーザは水抜き運転の終了後に元電源のオフ操作をする必要がなく、水抜き運転の指示だけをすればよいので、余計な手間が省け、ユーザにとって使い勝手のよい給湯装置を提供することができる。
【００１８】
本願発明のその他の特徴および利点は、添付図面を参照して以下に行う詳細な説明によって、より明らかとなろう。
【００１９】
【発明の実施の形態】
以下、本願発明の好ましい実施の形態を、添付図面を参照して具体的に説明する。
【００２０】
図１は、本願発明に係る給湯装置を示す概略構成図である。この給湯装置は、給湯装置本体１と、これに２芯ケーブル３を介して接続されたリモコン装置２とによって構成されている。なお、リモコン装置２は、複数設けられていてもよい。
【００２１】
給湯装置本体１は、たとえば住宅の屋外に設置され、給湯用、風呂追い焚き用、または温水暖房用の熱交換器、各種燃焼器、および各種バルブ等（いずれも図示せず）を含む燃焼ユニット１０と、給湯装置本体１の全体動作を制御する制御部１１とを備えている。
【００２２】
制御部１１は、たとえば電子部品が搭載された１枚のプリント基板によって構成され、マイクロコンピュータ１２（以下、「本体側マイコン１２」という）、ＥＥＰＲＯＭ１３、および通信部１４等を有している。本体側マイコン１２は、給湯装置本体１の制御中枢となるものであり、図示しないＲＯＭに記憶されている運転実行プログラム、あるいはリモコン装置２や図示しない暖房用機器等から送られる操作信号等に基づいて、各種燃焼器の燃焼状態や各種バルブの開閉状態を制御する。
【００２３】
また、制御部１１は、たとえば給湯動作もリモコン装置２からの操作情報も入力されない状態が所定時間以上継続すると、通常の運転モードから消費電力抑制モードに自動的に切り換えるモード切換制御を行う。消費電力抑制モードとは、後述するように商用電源を遮断して電力消費を抑制するモードである。
【００２４】
さらに本実施形態に係る給湯装置本体１は、凍結予防運転機能と水抜き運転機能とを有し、制御部１１は、これらの機能に関する動作制御も行う。なお、凍結予防運転とは、寒冷地では冬場に配管内の水が凍結して装置を損傷することがあるため、それを防止するため、周囲温度が所定の温度（たとえば０℃）以下になると、配管内の水を流動させたり、配管を加熱したりするための運転である。なお、凍結予防運転として配管内の水を流動させる給湯装置としては、風呂追い焚き用循環ポンプを備えた給湯装置、温水暖房用の温水循環ポンプを備えた給湯装置、一般給湯用の即出湯循環ポンプを備えた給湯装置等が挙げられる。また、水抜き運転とは、配管内に水が残留した状態で給湯装置本体１が長期間使用されないと、上述の凍結や腐食等により装置を損傷することがあるため、それを防止するため、配管内の水を抜くための運転である。水抜き運転は、ユーザが図２におけるリモコン装置２の操作部２１を操作することにより行わせることができる。なお、水抜き運転が行われる際には、水を抜くための水抜き栓（図示せず）が開放される前に、給湯装置本体１の配管内に設けられた温水流量制御弁（図示せず）を水抜きしやすい開度に制御するようにしてもよい。
【００２５】
ＥＥＰＲＯＭ１３は、各種のデータを必要に応じて記憶するものである。
【００２６】
通信部１４は、リモコン装置２との通信を行うためのものであり、所定の変復調方式に基づいた変復調回路によって構成されている。給湯装置本体１からリモコン装置２に対しては、２芯ケーブル３を介して電源供給（たとえばＤＣ１５Ｖ）がされており、上記通信部１４において変調されたデータ信号は、電源電圧に重畳され、この２芯ケーブル３を介してリモコン装置２に伝達される。また、リモコン装置２から上記２芯ケーブル３を介して伝達された操作信号としてのデータ信号は、上記通信部１４において復調され、本体側マイコン１２に送られる。
【００２７】
また、本体側マイコン１２には、Ｆ点サーミスタ１７が接続されている。Ｆ点サーミスタ１７は、給湯装置本体１の周囲の温度を検出する温度検出センサであり、検出した温度は、本体側マイコン１２によって読み込まれる。Ｆ点サーミスタ１７による検出信号は、後述する凍結予防運転の制御に利用される。
【００２８】
一方、リモコン装置２は、台所および風呂場等の屋内に設置され、給湯装置本体１を遠隔操作するものである。リモコン装置２は、マイクロコンピュータ１５（以下、「リモコン側マイコン１５」という）、および通信部１６等を有している。
【００２９】
たとえば台所に設置されるリモコン装置２は、図２に示すように、本体ケース２Ａの表面に運転スイッチ２１ａを含む各種の操作スイッチからなる操作部２１、表示部２２およびスピーカ２３が設けられている。操作部２１の各操作スイッチは、ユーザによって給湯運転や暖房運転等や水抜き運転を行うために操作されるものである。表示部２２は、たとえば多数の蛍光体をドットマトリクス状に配置した蛍光管や液晶ディスプレイ等からなる。
【００３０】
リモコン側マイコン１５は、リモコン装置２の制御中枢となるものであり、図示しないＲＯＭに記憶されている運転実行プログラム、あるいは操作部２１の操作内容に基づいて、各部の動作制御やデータ処理を実行し、表示部２２にたとえば給湯温度、風呂湯温の設定温度、バーナの点火状況、および凍結予防運転中等を必要に応じて表示したり、スピーカ２３から音声を出力したりする。
【００３１】
通信部１６は、給湯装置本体１２との通信を行うためのものであり、所定の変復調方式に基づいた変復調回路によって構成されている。
【００３２】
次に、給湯装置本体１およびリモコン装置２の電源系統における回路構成について、図３〜図６を参照して説明する。
【００３３】
図３は、電源系統における回路構成の第１の実施形態を示す図である。この実施形態は、漏電ブレーカを用いて商用電源のオン・オフを行うもので、漏電ブレーカの動作を制御することにより、消費電力抑制モードと通常の運転モードとの切換えが行われるようになっている。
【００３４】
給湯装置本体１の端子ａ１，ａ２は、電源ケーブルＣを介してコンセント（図示略）等に接続され、これにより、給湯装置本体１に商用電源ＰＷ（たとえばＡＣ１００Ｖ）が供給される。給湯装置本体１内において、端子ａ１，ａ２は、電源線ＣＣに接続され、ヒューズＦＵおよび漏電ブレーカ５を介してレギュレータＲＧに接続されている。なお、商用電源ＰＷに代えて、自家発電による電源が採用されてもよい。
【００３５】
レギュレータＲＧは、図示しないが、内部にトランス回路や平滑回路等を備え、給湯装置本体１の本体側マイコン１２や他の制御回路に対して所定の電圧を供給するものである。
【００３６】
漏電ブレーカ５のＴＥＳＴ端子には、フォトカプラＰＣ１のフォトトランジスタが接続され、フォトカプラＰＣ１のフォトダイオードのアノード端子には、本体側マイコン１２が接続されている。そのフォトダイオードのカソード端子は、グランドに接地されている。漏電ブレーカ５のＲＥＳＥＴ端子には、フォトカプラＰＣ２のフォトトランジスタが接続されている。
【００３７】
漏電ブレーカ５は、給湯装置本体１に対して商用電源ＰＷの供給を許可または阻止するためのものであり、ＲＥＳＥＴ端子に接続されたフォトカプラＰＣ２がオンすることによりオン動作し、商用電源ＰＷの供給を許可する。また、漏電ブレーカ５は、ＴＥＳＴ端子に接続されたフォトカプラＰＣ１がオンすることによりオフ動作し、商用電源ＰＷの供給を阻止する。すなわち、漏電ブレーカ５は、消費電力抑制モードにおいては、フォトカプラＰＣ１のオンによりオフ動作し、電力消費を抑制する機能を果たす。なお、上記漏電ブレーカ５は、本来、給湯装置本体１内で発生する漏電を検知するために設けられたものであり、本実施形態では、漏電ブレーカ５の電源遮断機構を利用して消費電力抑制制御を行っている。
【００３８】
フォトカプラＰＣ２のフォトダイオードのアノード端子側には、充電用コンデンサＣ１の正極側が接続されているとともに、電圧端子（たとえばＤＣ５Ｖ）に接続されたダイオードＤ１のカソード端子が接続されている。充電用コンデンサＣ１の負極側は、グランドに接地されている。
【００３９】
ここで、充電用コンデンサＣ１は、たとえば最大１Ｆ（ファラッド）の電荷を蓄えるための充電機能を有する素子（スーパキャパシタンスともいう）である。充電用コンデンサＣ１は、消費電力抑制モードになると、商用電源ＰＷが遮断され、給湯装置本体１およびリモコン装置２に電源が供給されなくなるので、リモコン装置２の運転スイッチ２１ａが操作されたときや、後述するＦ点スイッチ６がオンになったとき、消費電力抑制モードから通常の運転モードに復帰させるための信号をリモコン装置２から給湯装置本体１に伝送できるようにするためのバックアップ電源を構成している。なお、この充電用コンデンサＣ１に代えて、汎用の充電池等が用いられてもよい。
【００４０】
フォトカプラＰＣ２のフォトダイオードのカソード端子は、電圧端子（たとえばＤＣ１５Ｖ）に接続されているとともに、コイルＬ１を介して端子ｂ１に接続されている。また、端子ｂ２は、グランドに接地されている。
【００４１】
次に、リモコン装置２の電源系統における回路構成について説明する。リモコン装置２は、給湯装置本体１と繋ぐための２芯ケーブル３が接続される端子ｃ１，ｃ２を有している。端子ｃ１，ｃ２は、給湯装置本体１からの電圧を整流するためのブリッジダイオードＢＤに接続され、ブリッジダイオードＢＤは、コイルＬ２、運転スイッチ２１ａ（図２参照）、および抵抗Ｒ１，Ｒ２による閉回路に接続されている。
【００４２】
また、コイルＬ２は、抵抗Ｒ３の一端に接続されているとともに、ＰＮＰ型のスイッチングトランジスタＱ１のエミッタ端子に接続されている。抵抗Ｒ３の他端には、Ｆ点スイッチ６の一端が接続されている。Ｆ点スイッチ６の他端は、グランドに接地されている。
【００４３】
Ｆ点スイッチ６は、周囲の温度を検知してそれに基づいてオン、オフ動作するためのスイッチであり、周囲温度が所定温度（たとえば、０℃）以下になれば、自動的にオンするものである。消費電力抑制モードにおいて、このＦ点スイッチ６がオン動作すると、抵抗Ｒ３とグランドとが接続され、給湯装置本体１側に設けられた充電コンデンサＣ１の放電経路を形成する。すなわち、給湯装置本体１におけるフォトカプラＰＣ２のフォトダイオード、およびコイルＬ１と、２芯ケーブル３と、リモコン装置２側のブリッジダイオードＢＤ、コイルＬ２、および抵抗Ｒ３とにより放電経路が形成される。したがって、充電用コンデンサＣ１に充電された電荷がこの放電経路により放電され、これによりフォトカプラＰＣ２がオンになり、漏電ブレーカ５がオン（商用電源ＰＷの供給状態）になるので、消費電力抑制モードから通常の運転モードに復帰する。
【００４４】
スイッチングトランジスタＱ１のベース端子には、ツェナーダイオードＺＤのカソード端子が接続されている。スイッチングトランジスタＱ１のコレクタ端子とツェナーダイオードＺＤのアノード端子との間には、負荷７が接続されており、この場合、負荷７としては表示部２２等が挙げられる。ツェナーダイオードＺＤのアノード端子は、グランドに接地されている。また、抵抗Ｒ１，Ｒ２の間には、抵抗Ｒ４を介してリモコン側マイコン１５が接続されている。なお、リモコン側マイコン１５は、スイッチングトランジスタＱ１のコレクタ端子側に備えられた図示しないレギュレータから電源が供給される。
【００４５】
次に、上記の構成における作用について説明する。
【００４６】
まず、通常の運転モードから運転スイッチ２１ａによる操作によって消費電力抑制モードに移行する場合を説明すると、通常の運転モードにおいて、リモコン装置２の運転スイッチ２１ａが押下されると、リモコン側マイコン１５は、その旨の信号を、通信部１６、２芯ケーブル３および給湯装置本体１の通信部１４を介して本体側マイコン１２に送る。本体側マイコン１２は、フォトカプラＰＣ１をオンさせ、これにより、漏電ブレーカ５がオフになり、商用電源ＰＷの供給を遮断する。
【００４７】
そのため、給湯装置本体１には、電源電圧が供給されなくなり、本体側マイコン１２等の動作が停止する。また、リモコン装置２にも電源電圧が供給されなくなり、リモコン側マイコン１５等の動作も停止する。すなわち、上記状態では、給湯装置本体１およびリモコン装置２には、電源電圧が供給されていないことになり、消費電力を抑制することができる。しかしながら、充電用コンデンサＣ１には、運転動作中に、ダイオードＤ１を介して所定電圧（ＤＣ５Ｖ）が供給されて充電が行われている。
【００４８】
消費電力抑制モードにおいて、ユーザにより運転スイッチ２１ａが押し下げられると、フォトカプラＰＣ２、コイルＬ１、ブリッジダイオードＢＤ、コイルＬ２、抵抗Ｒ１，Ｒ２によって充電用コンデンサＣ１に蓄えられていた電荷の放電経路が構成され、この放電経路で充電用コンデンサＣ１の充電電荷が放電されると、フォトカプラＰＣ２がオン動作し、漏電ブレーカ５のＲＥＳＥＴ端子にオン信号が入力され、漏電ブレーカ５がオン動作する。これにより、給湯装置本体１には、商用電源ＰＷが供給され、本体側マイコン１２が立ち上がる。すなわち、給湯装置本体１は、消費電力抑制モードから通常の運転モードに復帰する。
【００４９】
一方、給湯装置本体１が消費電力抑制モードになっている状態で、周囲温度が低下し、凍結予防運転が必要になった場合でも、本体側マイコン１２には電源が供給されていないため、本体側マイコン１２はＦ点サーミスタ１７の検出信号に基づいて凍結予防運転を行うことはない。
【００５０】
しかし、本実施形態にかかる給湯装置本体１は、周囲温度が凍結予防運転を必要とする温度領域に近くなると、リモコン装置２に設けられたＦ点スイッチ６がオンになり、これにより、給湯装置本体１が消費電力抑制モードから通常の運転モードに復帰するため、本体側マイコン１２による凍結予防運転が支障なく実行できるようになっている。
【００５１】
すなわち、消費電力抑制モードにおいて、周囲温度が所定温度（たとえば０℃）以下になると、Ｆ点スイッチ６が自動的にオンする。このＦ点スイッチ６のオンによって、フォトカプラＰＣ２、コイルＬ１、ブリッジダイオードＢＤ、コイルＬ２、抵抗Ｒ３によって充電用コンデンサＣ１の充電電荷の放電経路が構成され、この放電経路で充電用コンデンサＣ１の充電電荷が放電されると、フォトカプラＰＣ２がオン動作し、漏電ブレーカ５のＲＥＳＥＴ端子にオン信号が入力され、漏電ブレーカ５がオン動作する。これにより、給湯装置本体１には、商用電源ＰＷが供給され、本体側マイコン１２が立ち上がる。すなわち、給湯装置本体１は、消費電力抑制モードから通常の運転モードに復帰する。
【００５２】
本体側マイコン１２が立ち上がると、本体側マイコン１２は、Ｆ点サーミスタ１７（図１参照）の値を読み込む。そして、読み込んだＦ点サーミスタ１７の値が所定温度（たとえば０℃）より低い場合、凍結予防運転を開始する。この場合、リモコン側マイコン１５も給湯装置本体１から電源が供給されて立ち上がっているため、本体側マイコン１２は、通信部１４，１６および２芯ケーブル３を介してリモコン側マイコン１５に凍結予防運転を行う旨を伝達する。そして、リモコン側マイコン１５では、それに応じて、凍結予防運転が行われている旨を表示部２２に表示する。
【００５３】
上記したように、本実施形態では、Ｆ点スイッチ６が周囲の温度、すなわち凍結予防運転を開始する必要が有る温度を検知してオン動作することにより、本体側マイコン１２を立ち上げることができるので、消費電力抑制モードにおいても、すなわち、本体側マイコン１２が動作していないにもかかわらず、凍結予防運転を開始するタイミングを検知することができ、ひいては給湯装置の凍結を予防することができる。
【００５４】
図４は、電源系統における回路構成の第２の実施形態を示す図である。この実施形態は、漏電ブレーカ５に代えてリレー接点ＳＷにより商用電源ＰＷのオン・オフを行うもので、リレー接点ＳＷのスイッチ動作を制御することにより、消費電力抑制モードと通常の運転モードとの切換えが行われるようになっている。
【００５５】
図４のリモコン装置２の構成は、図３のリモコン装置２の構成と同一であるから、ここでは、給湯装置本体１の部分について構成を説明する。また、この回路構成の作用は基本的に第１実施形態と同一であるから、その説明も省略する。
【００５６】
図４において、給湯装置本体１の端子ａ１，ａ２とレギュレータＲＧとの間には、第１実施形態の漏電ブレーカ５に代えて、リレー接点ＳＷが介在されている。このリレー接点ＳＷは、給湯装置本体１に対する商用電源ＰＷの供給を許可または阻止するためのものであり、後述するリレーコイルＲＹによってオン、オフ動作される。すなわち、リレー接点ＳＷは、消費電力抑制モードにおいては、商用電源ＰＷの供給を阻止して電力消費を抑制する機能を果たす。
【００５７】
レギュレータＲＧによって電圧が供給される電圧端子（ＤＣ１５Ｖ）には、ダイオードＤ２を介して充電用コンデンサＣ１の正極側が接続されている。充電用コンデンサＣ１の負極側は、グランドに接地されている。また、電圧端子（ＤＣ１５Ｖ）には、充電用コンデンサＣ１の充電電荷の放電によりリモコン装置２側に流れる電流を検知するための電流検知回路３１が接続されている。電流検知回路３１は、コイルＬ１を介して端子ｂ１に接続されている。また、電流検知回路３１の出力端は、自己保持回路３２に接続されている。
【００５８】
電流検知回路３１は、コンデンサＣ１、コイルＬ１および端子ｂ１を通じて流れる電流を検知するためのものである。詳細には、消費電力抑制モードにおいて、充電用コンデンサＣ１に蓄えられていた充電電荷が放電されるときに流れる電流を検知する。すなわち、電流検知回路３１は、消費電力抑制モードにおいて、たとえば電源スイッチ２１ａが押下されれば、充電用コンデンサＣ１から電流検知回路３１、コイルＬ１、２芯ケーブル３、ブリッジダイオードＢＤ、コイルＬ２、抵抗Ｒ１および抵抗Ｒ２に至る放電経路が形成され、この放電経路を電流が流れるので、その電流を検知する。
【００５９】
電流検知回路３１には、充電用コンデンサＣ１の充電電荷量が所定の電荷量に低下したことを電圧が所定値に低下したことにより検出する検出回路も設けられており、電流検知回路３１は、充電用コンデンサＣ１の充電電荷の放電を検知した信号と充電用コンデンサＣ１の電圧低下を検出した信号とを自己保持回路３２に出力する。なお、電流検知回路３１によって、充電用コンデンサＣ１に蓄えられていた充電電荷量を検知するのは、消費電力抑制モードにおいて、充電用コンデンサＣ１が低下しすぎると、たとえばリモコン装置２の電源スイッチ２１ａがオンされたときに、通常の運転モードに復帰させることができなくなるため、かかる不都合を解消するためである。
【００６０】
また、自己保持回路３２は、電流検知回路３１の出力信号もしくは本体側マイコン１２からの制御信号に基づいて、後述するリレーコイルＲＹを駆動させるための信号を出力するためのものである。自己保持回路３２は、抵抗Ｒ６を介してスイッチングトランジスタＱ２のベース端子に接続されている。スイッチングトランジスタＱ２のコレクタ端子は、抵抗Ｒ７を介してリレーコイルＲＹの負極側に接続されている。スイッチングトランジスタＱ２のエミッタ端子は、グランドに接地されている。リレーコイルＲＹの正極側は、ダイオードＤ２のカソード端子に接続され、リレーコイルＲＹの正極側には、電圧端子（ＤＣ１５Ｖ）によってダイオードＤ２を介して（またはコンデンサＣ１から）動作電圧が与えられる。
【００６１】
自己保持回路３２の出力信号が出力されると、スイッチングトランジスタＱ２がオンし、これにより正極側に電圧端子（ＤＣ１５Ｖ）の動作電圧（またはコンデンサＣ１からの動作電圧）が与えられていたリレーコイルＲＹが駆動されることになる。
【００６２】
自己保持回路３２は、消費電力抑制モードにおいて、電流検知回路３１から充電用コンデンサＣ１の充電電荷の放電（リモコン装置２の運転スイッチ２１ａの操作に基づく充電電荷の放電、およびＦ点スイッチ６による周囲温度低下の検出に基づく充電電荷の放電）を検知した信号が入力されると、上述したスイッチングトランジスタＱ２をオンさせて、リレーコイルＲＹを駆動させるとともにリレー接点ＳＷをオンさせる。これにより、給湯装置本体１に商用電源ＰＷが供給され、給湯装置本体１は消費電力抑制モードから通常の運転モードに復帰する。
【００６３】
また、自己保持回路３２は、電流検知回路３１から充電用コンデンサＣ１の電圧低下を検知した信号が入力されると、スイッチングトランジスタＱ２をオンさせて、リレーコイルＲＹを駆動させるとともにリレー接点ＳＷをオンさせる。これにより、給湯装置本体１に商用電源ＰＷが供給され、レギュレータＲＧが起動して、充電用コンデンサＣ１にダイオードＤ２を介して駆動電圧（ＤＣ１５Ｖ）が印加されるため、充電用コンデンサＣ１は充電されることになる。
【００６４】
また、自己保持回路３２は、本体側マイコン１２にも接続されている。本体側マイコン１２は、自己保持回路３２に制御信号を入力して強制的に通常の運転モードから消費電力抑制モードに移行させる。すなわち、自己保持回路３２に対してスイッチングトランジスタＱ２への出力信号が出力されている場合、すなわち、リレーコイルＲＹが駆動され（リレー接点ＳＷがオン）、給湯装置本体１に商用電源ＰＷが供給されている場合、本体側マイコン１２は、自己保持回路３２に対してスイッチングトランジスタＱ２への出力を禁止させるための禁止信号（制御信号）を出力する。この禁止信号によりスイッチングトランジスタＱ２はオフし、リレーコイルＲＹに電流が流れなくなり（リレー接点ＳＷがオフ）、給湯装置本体１に対する商用電源ＰＷの供給が阻止される。
【００６５】
図５は、図４に示す給湯装置本体１の電源系統における回路構成の変形例を示す図である。以下、図４の給湯装置本体１と異なる部分について説明する。
【００６６】
電源線ＣＣの他方の線には、抵抗Ｒ１１を介して整流用ダイオードＤ１１が接続され、さらにこの整流用ダイオードＤ１１には、平滑用コンデンサＣ１１が接続されている。整流用ダイオードＤ１１および平滑用コンデンサＣ１１は、リレーコイルＲＹ、スイッチングトランジスタＱ１１等の能動素子のための駆動電源（直流電源）を生成する回路である。
【００６７】
整流用ダイオードＤ１１のカソード端子には、上記リレー接点ＳＷをオン、オフ動作させるためのリレーコイルＲＹの正極側が接続されている。また、リレーコイルＲＹの負極側は、抵抗Ｒ１２を介してサイリスタＳのアノード側に接続されている。サイリスタＳは、リレーコイルＲＹへの通電を制御するスイッチ素子であり、抵抗Ｒ１２は、サイリスタＳに流れる電流を制限する抵抗である。
【００６８】
また、リレーコイルＲＹの正極側には、抵抗Ｒ１３を介してＰＮＰ型のスイッチングトランジスタＱ１１のエミッタ端子が接続されており、このスイッチングトランジスタＱ１１のコレクタ端子には、サイリスタＳのゲート端子が接続されている。スイッチングトランジスタＱ１１のコレクタ端子およびサイリスタＳのカソード端子間には、抵抗Ｒ１４と、コンデンサＣ１２とが並列に接続されている。また、サイリスタＳのカソード端子は、一次側グランドに接地されている。スイッチングトランジスタＱ１１はサイリスタＳのオン動作を制御するものであり、スイッチングトランジスタＱ１１がオンになると、サイリスタＳのゲート端子に駆動電圧が印加され、サイリスタＳはオンになる。すなわち、リレーコイルＲＹに通電され、リレー接点ＳＷがオン（商用電源ＰＷの供給状態）になる。
【００６９】
サイリスタＳのアノード端子およびカソード端子間は、フォトカプラＰＣ１３のフォトトランジスタに接続されている。フォトカプラＰＣ１３のフォトダイオードのアノード端子側は、本体側マイコン１２に接続され、フォトダイオードのカソード端子側は、二次側グランドに接地されている。
【００７０】
なお、フォトカプラＰＣ１３は、本体側マイコン１２からの制御信号によりサイリスタＳをオフするスイッチ素子である。すなわち、本体側マイコン１２によりフォトカプラＰＣ１３が一時的にオンになると、サイリスタＳの両端が短絡されて電流が流れなくなり、サイリスタＳはオフになる。これにより、リレーコイルＲＹの通電が遮断され、リレー接点ＳＷはオフ（商用電源ＰＷの遮断状態）になる。
【００７１】
また、フォトカプラＰＣ１２は、後述する充電用コンデンサＣ１４（リモコン装置２の運転スイッチ２１ａの操作により消費電力抑制モードを運転モードに復帰可能にするために、当該リモコン装置２にバックアップ電源を供給するコンデンサ）の充電電圧が所定の電圧以下に低下したとき、その検出信号（後述する）により当該コンデンサＣ１４を充電するべくサイリスタＳをオンするスイッチ素子である。
【００７２】
充電用コンデンサＣ１４の電圧低下の検出信号によりフォトカプラＰＣ１２がオンになると、スイッチングトランジスタＱ１１がオンになり、サイリスタＳのゲート端子に駆動電圧が印加されてサイリスタＳはオンになる。これにより、リレーコイルＲＹに通電され、リレー接点ＳＷがオン（商用電源ＰＷの供給状態）になる。商用電源ＰＷが通電されると、レギュレータＲＧが起動し、当該レギュレータＲＧから給湯装置本体１内の回路とリモコン装置２内の回路に対する駆動電源（所定電圧の直流電源）が供給されるため、その電源により充電用コンデンサＣ１４は充電される。
【００７３】
また、フォトカプラＰＣ１１は、消費電力抑制モードにおいてリモコン装置２の運転スイッチ２１ａが操作されたとき、その操作信号により消費電力抑制モードを運転モードに復帰させるためにサイリスタＳをオンするスイッチ素子である。
【００７４】
運転スイッチ２１ａの操作信号によりフォトカプラＰＣ１１がオンになると、スイッチングトランジスタＱ１１がオンになり、サイリスタＳのゲート端子に駆動電圧が印加されてサイリスタＳはオンになる。これにより、リレーコイルＲＹに通電され、リレー接点ＳＷがオンになる。商用電源ＰＷが通電されると、レギュレータＲＧが起動し、給湯装置本体１は消費電力抑制モードから通常の運転モードに復帰する。
【００７５】
スイッチングトランジスタＱ１１のエミッタ端子、ベース端子間には、抵抗Ｒ１５が接続され、そのベース端子にはダイオードＤ１５のアノード端子が接続され、そのカソード端子が抵抗Ｒ１６の一端に接続されている。抵抗Ｒ１６の他端には、電解コンデンサＣ１３の正極側が接続されている。電解コンデンサＣ１３の負極側は、一次側グランドに接地されている。
【００７６】
電解コンデンサＣ１３には、並列に抵抗Ｒ１７が接続され、電解コンデンサＣ１３の両端には、正極側に抵抗Ｒ１８を介して、フォトカプラＰＣ１１のフォトトランジスタと、フォトカプラＰＣ１２のフォトトランジスタとがそれぞれ接続されている。
【００７７】
ここで、電解コンデンサＣ１３は、たとえば電源ケーブルＣがコンセント等に接続され、商用電源ＰＷが供給されるときのサイリスタＳのオン、オフ動作の状態を間接的に規定するものである。すなわち、上記のようにコンセント等に接続され、商用電源ＰＷが供給されると、サイリスタＳがオンするのに十分なだけの期間、電解コンデンサＣ１３に電流が流れる。そして、スイッチングトランジスタＱ１１がオンになり、サイリスタＳのゲート端子に駆動電圧が印加されて、サイリスタＳがオンした後は、スイッチングトランジスタＱ１１はオフとなる。この構成により、フォトカプラＰＣ１３によるサイリスタＳのオフが可能になる。
【００７８】
また、抵抗Ｒ１７の一端には、電界効果トランジスタＦＥＴ１のドレイン端子が接続されている。電界効果トランジスタＦＥＴ１のソース端子は、一次側グランドに接地されている。電界効果トランジスタＦＥＴ１のゲート端子は、電解コンデンサＣ１３に対して並列に接続された抵抗Ｒ３５，Ｒ３６の中点に接続されているとともに、電界効果トランジスタＦＥＴ２のドレイン端子に接続されている。電界効果トランジスタＦＥＴ１のゲート端子と一次側グランドとの間には、コンデンサＣ１５が介在されている。電界効果トランジスタＦＥＴ２のソース端子は、一次側グランドに接地され、そのゲート端子は、抵抗Ｒ３７の一端に接続され、抵抗Ｒ３７の他端は、一次側グランドに接地されている。また、電界効果トランジスタＦＥＴ２のゲート端子は、抵抗Ｒ３８を介してスイッチングトランジスタＱ１１のベース端子に接続されている。
【００７９】
この回路構成によると、電源ケーブルＣがコンセント等に接続されているときは、電界効果トランジスタＦＥＴ２はオン状態となる一方、電界効果トランジスタＦＥＴ１はオフ状態となる。逆に、電源ケーブルＣがコンセント等から抜かれているときは、電界効果トランジスタＦＥＴ２はオフ状態となり、その状態で、電解コンデンサＣ１３に所定量の電荷が残っているときは、電界効果トランジスタＦＥＴ１はオン状態となり、電解コンデンサＣ１３の電荷を放電する。なお、上記回路において、電界効果トランジスタＦＥＴ１のゲート端子における電位を決定するための抵抗Ｒ３５および抵抗Ｒ３６の値は、抵抗Ｒ１７の値より大きくなるように設定することが可能であるため、電源コンセント接続中の消費電力をさらに削減することができる。
【００８０】
フォトカプラＰＣ１１のフォトダイオードの両端には、抵抗Ｒ１９が接続され、フォトダイオードのアノード端子側には、抵抗Ｒ２０を介してＰＮＰ型のスイッチングトランジスタＱ１２のコレクタ端子が接続されている。スイッチングトランジスタＱ１２は、消費電力抑制モードにおいてリモコン装置２の運転スイッチ２１ａが操作されると、その操作信号によりオンになり、充電用コンデンサＣ１４から電源を供給してフォトカプラＰＣ１１をオンさせるものである。スイッチングトランジスタＱ１２のエミッタ端子、ベース端子間には、抵抗Ｒ２１が接続され、スイッチングトランジスタＱ１２のベース端子には、抵抗Ｒ２２、逆電流防止用のダイオードＤ１２、およびコイルＬ１１が直列に接続されている。
【００８１】
ダイオードＤ１２のカソード端子には、電圧端子（たとえばＤＣ１５Ｖ）にアノード側が接続された逆電流防止用のダイオードＤ１３が接続されている。このＤＣ１５Ｖは、リモコン装置２に与えられる電圧である。コイルＬ１１の下流側は、リモコン装置２に接続するための一方の端子ｂ１に接続され、他方の端子ｂ２は、二次側グランドに接地されている。
【００８２】
フォトカプラＰＣ１２のフォトダイオードの両端には、抵抗Ｒ２３が接続され、フォトダイオードのアノード端子側は、抵抗Ｒ２４を介してリセットＩＣ２４の入力端子２４ａに接続されている。
【００８３】
ここで、リセットＩＣ２４は、後述する充電用コンデンサＣ１４の充電量を検出するものであり、充電用コンデンサＣ１４の充電量が所定電圧以下になれば、「ＬＯＷ」信号を出力端子２４ｂから出力する。リセットＩＣ２４の出力端は、フォトカプラＰＣ１２のフォトダイオードのカソード端子に接続されている。
【００８４】
また、リセットＩＣ２４の入力端子２４ａには、充電用コンデンサＣ１４の正極側が接続されている。
【００８５】
ここで、充電用コンデンサＣ１４は、たとえば最大１Ｆ（ファラッド）の電荷を蓄えるための充電機能を有する素子（スーパキャパシタンスともいう）である。なお、この充電用コンデンサＣ１４に代えて、汎用の充電池等が用いられてもよい。
【００８６】
充電用コンデンサＣ１４の負極側は、二次側グランドに接地されている。また、充電用コンデンサＣ１４の正極側は、抵抗Ｒ２５およびダイオードＤ１４を介してたとえばＤＣ５Ｖが供給されている。なお、リレー接点ＳＷがオンのときには、レギュレータＲＧの出力（たとえばＤＣ１５Ｖ）をもとに、図示しない他のレギュレータによって上記ＤＣ５Ｖが生成される。充電用コンデンサＣ１４には、抵抗Ｒ２５およびダイオードＤ１４を介してＤＣ５Ｖが供給されるので、充電用コンデンサＣ１４の両端は、たとえばＤＣ４．４Ｖである。
【００８７】
次に、上記の構成における作用について簡単に説明する。
【００８８】
まず、通常の運転モードから運転スイッチ２１ａによる操作によって消費電力抑制モードに移行する場合を説明すると、リモコン装置２において運転スイッチ２１ａが押下されると、リモコン側マイコン１５は、本体側マイコン１２に、運転スイッチ２１ａが押下された旨を送信する。本体側マイコン１２は、フォトカプラＰＣ１３を所定期間オンさせ、サイリスタＳに流れる電流を阻止させる。これにより、リレーコイルＲＹには、電流が流れなくなり、リレー接点ＳＷがオンからオフになり、商用電源ＰＷの供給を遮断する。すなわち、消費電力抑制モードに移行すると、レギュレータＲＧ自体の電力消費がゼロになり、消費電力の削減を図ることができる。ただし、充電用コンデンサＣ１４には、運転動作中に、ダイオードＤ１４等を介してＤＣ５Ｖによって充電が行われている。
【００８９】
次いで、消費電力抑制モードから通常の運転モードに移行される場合を説明すると、運転動作を開始するために、ユーザの操作によってリモコン装置２の運転スイッチ２１ａが押下された場合、充電用コンデンサＣ１４に蓄えられていた電荷は、スイッチングトランジスタＱ１２、抵抗Ｒ２２、ダイオードＤ１２、コイルＬ１１、ブリッジダイオードＢＤ、コイルＬ２等を通じて運転スイッチ２１ａに電流が流れる。これにより、オン動作されたスイッチングトランジスタＱ１２によってフォトカプラＰＣ１１がオンする。
【００９０】
その結果、コンデンサＣ１３に電流が流れるとともに、スイッチングトランジスタＱ１１がオンし、サイリスタＳのゲート端子に電圧が印加され、リレーコイルＲＹに電流が流れることにより、リレー接点ＳＷがオンする。そのため、商用電源ＰＷが給湯装置本体１に供給されることになり、消費電力抑制モードから通常の運転モードに移行される。
【００９１】
また、消費電力抑制モードにおいて、周囲温度が所定温度（たとえば０℃）以下になると、Ｆ点スイッチ６が自動的にオンし、これにより、充電用コンデンサＣ１４の充電電荷が放電されると、フォトカプラＰＣ１１がオン動作し、コンデンサＣ１３に電流が流れるとともに、スイッチングトランジスタＱ１１がオンし、サイリスタＳのゲート端子に電圧が印加され、リレーコイルＲＹに電流が流れる。その結果、リレー接点ＳＷがオンし、商用電源ＰＷが給湯装置本体１に供給されることになり、消費電力抑制モードから通常の運転モードに移行される。
【００９２】
なお、上記実施形態では、Ｆ点スイッチ６がリモコン装置２内に設けられていたが、これに代えて、図６，図７に示すように給湯装置本体１側に設けられていてもよい。図６は、図３において、Ｆ点スイッチ６を給湯装置本体１側に設けたもので、Ｆ点スイッチ６は、フォトカプラＰＣ２のフォトダイオードのカソード端子にその一端が接続され、他端は抵抗Ｒ３の一端に接続されている。抵抗Ｒ３の他端は、グランドに接地されている。その他の構成については、図３に示した構成と略同様である。
【００９３】
この構成により、消費電力抑制モードにおいて、周囲温度が所定温度以下になると、Ｆ点スイッチ６が自動的にオンする。このＦ点スイッチ６のオンによって、充電用コンデンサＣ１に蓄えられていた電荷は、フォトカプラＰＣ２を通じてＦ点スイッチ６に電流として流れる。
【００９４】
その結果、フォトカプラＰＣ２がオン動作し、漏電ブレーカ５がオンする。これにより、給湯装置本体１には、商用電源ＰＷが供給され、本体側マイコン１２が立ち上がる。本体側マイコン１２が立ち上がった以降の、本体側マイコン１２による制御は、上記実施形態に示した制御と同様である。
【００９５】
また、図７は、図４において、Ｆ点スイッチ６を給湯装置本体１側に設けたもので、Ｆ点スイッチ６は、電流検知回路３１とコイルＬ１との接続点に一端が接続された抵抗Ｒ３の他端に、その一端が接続されている。Ｆ点スイッチ６の他端は、グランドに接地されている。その他の構成については、図４に示した構成と略同様である。
【００９６】
この構成により、消費電力抑制モードにおいて、周囲温度が所定温度以下になると、Ｆ点スイッチ６が自動的にオンする。このＦ点スイッチ６のオンによって、充電用コンデンサＣ１に蓄えられていた電荷は、電流検知回路３１を通じてＦ点スイッチ６に電流として流れる。
【００９７】
この電流は電流検知回路３１により検出され、その検出信号が自己保持回路３２に入力されると、自己保持回路３２はスイッチングトランジスタＱ２をオンさせて、リレーコイルＲＹを駆動させるとともにリレー接点ＳＷをオンさせる。これにより、給湯装置本体１には、商用電源ＰＷが供給され、本体側マイコン１２が立ち上がる。本体側マイコン１２が立ち上がった以降の、本体側マイコン１２による制御は、上記実施形態に示した制御と同様である。
【００９８】
したがって、この実施形態においても、Ｆ点スイッチ６が凍結予防運転を開始する必要な温度を検知してオン動作することにより、本体側マイコン１２を立ち上げることができるので、消費電力抑制モードにおいても、凍結予防運転を開始するタイミングを検知することができ、ひいては給湯装置の凍結を予防することができる。
【００９９】
ところで、一般の給湯装置では、冬場等において長時間使用しない場合には、ユーザによって給湯装置本体１の給湯器の配管内の水抜き動作をするための操作が行なわれ、その後、たとえばコンセントを抜くことにより給湯装置に対する電源供給を遮断するように構成されている。しかしながら、このような給湯装置では、水抜き動作にある程度の時間が必要なため、ユーザは、それが終了するのを待ってから電源供給を遮断しており、使い勝手がよいとはいい難かった。
【０１００】
そこで、本実施形態では、かかる不具合を解消するため、水抜き動作終了後に自動的に消費電力抑制モードに移行するようにして、ユーザの手間を省くようにしている。
【０１０１】
上記構成によれば、ユーザによるリモコン装置２の操作部２１における操作によって、水抜き動作を行う旨が入力されれば、リモコン側マイコン１５は、その旨を本体側マイコン１２に伝達する。本体側マイコン１２では、それに応じて、通常の水抜き動作を行う。
【０１０２】
本体側マイコン１２は、所定時間経過後、すなわち、水が完全に抜かれる時間の経過後、自己保持回路３２に禁止信号を与える。これにより、自己保持回路３２は、スイッチングトランジスタＱ２をオフさせ、リレーコイルＲＹに電流を流さなくすることにより、リレー接点ＳＷをオフさせる。その結果、給湯装置本体１には商用電源ＰＷが供給されなくなり、本体側マイコン１２およびその他の回路の動作が停止し、消費電力抑制モードに移行する。
【０１０３】
この構成によれば、ユーザの操作によって水抜き運転が実行された所定時間経過後に、リレー接点ＳＷをオフにして商用電源ＰＷの供給を阻止するので、たとえば、ユーザが水抜き運転を行うように操作すれば、その後自動的に消費電力抑制モードに移行する。そのため、ユーザは水抜き運転の終了まで待たなくてもよく、余計な手間が省け、ユーザにとって使い勝手のよい給湯装置を提供することができる。
【０１０４】
なお、この発明の範囲は上述した実施の形態に限定されるものではない。たとえば、給湯装置本体１に接続されるリモコン装置２の数は、実施形態に限定されるものではない。また、Ｆ点スイッチ６が作動する温度は、それが設置される場所（屋外または屋内）によって、適宜設計変更可能である。さらに、Ｆ点サーミスタ１７の検出温度（凍結予防運転を行う必要の有る温度）も、適宜設計変更可能である。また、給湯装置本体１が備える燃焼ユニット１０の燃料は、ガス、石油等適宜設計変更可能である。また、この実施形態では、燃焼ユニット１０に代えて、その他の熱源器を備えた給湯装置（たとえば、ガスや二酸化炭素を用いるヒートポンプ給湯装置）にも適用可能である。また、この実施形態における給湯装置は、一般給湯機能、風呂注湯機能、風呂追い焚き機能、または温水暖房機能等のうち、少なくとも一つの機能を備えた給湯装置に適用することができる。
【０１０５】
【発明の効果】
本願発明によれば、給湯装置本体が予め設定された所定の動作条件になると（たとえば消費電力を抑制するための消費電力抑制モードになると）、電源スイッチ手段をオフにして元電源を阻止する。また、元電源の阻止状態でユーザによる操作によって充電手段の充電電荷が放電され、その放電信号に基づいて電源スイッチ手段をオンにして元電源を供給し、通常の運転モードに復帰する。また、元電源の阻止状態で、装置の周囲温度が予め設定された所定の温度以下に低下すると、放電スイッチ手段により充電手段の充電電荷が放電され、これにより、電源供給制御手段により給湯装置本体に元電源が供給される。すなわち、周囲温度が低下すると、給湯装置本体は、消費電力抑制モードから通常の運転モードに自動的に復帰する。この結果、給湯装置本体に周囲温度が所定の温度以下に低下した場合に機能する凍結予防運転機能を設けた場合にも、凍結予防運転機能が元電源の遮断により機能しなくなるということがない。
【図面の簡単な説明】
【図１】本願発明に係る給湯装置を示す概略構成図である。
【図２】図１に示すリモコン装置の正面図である。
【図３】給湯装置本体およびリモコン装置の電源系統における回路構成の第１の実施形態を示す図である。
【図４】給湯装置本体およびリモコン装置の電源系統における回路構成の第２の実施形態を示す図である。
【図５】図４に示す給湯装置本体およびリモコン装置の電源系統における回路構成の変形例を示す図である。
【図６】図３に示す給湯装置本体およびリモコン装置の電源系統における回路構成の変形例を示す図である。
【図７】図４に示す給湯装置本体およびリモコン装置の電源系統における回路構成の他の変形例を示す図である。
【符号の説明】
１    給湯装置本体
２    リモコン装置
６    Ｆ点スイッチ
１２    本体側マイコン
１３    ＥＥＰＲＯＭ
１５    リモコン側マイコン
Ｃ１    充電用コンデンサ
【図１】
2004190905.tif 000003
【図２】
2004190905.tif 000004
【図３】
2004190905.tif 000005
【図４】
2004190905.tif 000006
【図５】
2004190905.tif 000007
【図６】
2004190905.tif 000008
【図７】
2004190905.tif 000009